(57)【要約】【課題】接点が閉じ、別の接点が同時に開くような新規な切換えスイッチを提供する。【解決手段】２つの電気回路の切換えのための切換えスイッチが開示され、この切換えスイッチはハウジング（１２）と、タペット（１４）と、第１の電気回路の２つの接点と、第２の電気回路の２つの接点（３、４）と、初期の状態では、第１の電気回路が閉じ、かつ、第２の電気回路が開くような第１の形状を有し、また、タペット（１４）を作動させることにより、第１の電気回路が開き、かつ、第２の電気回路が閉じるような第２の形状へ移行できる切換え接点（１６）と、を有する。【選択図】図１
2006216545.tif 000002
【特許請求の範囲】
【請求項１】
２つの電気回路の切換えのための切換えスイッチにおいて、
ハウジング（１２）と；
タペット（１４）と；
第１の電気回路の２つの接点（１、２）と；
第２の電気回路の２つの接点（３、４）と；
初期の状態では、上記第１の電気回路が閉じ、かつ、上記第２の電気回路が開くような第１の形状を有し、また、上記タペット（１４）を作動させることにより、当該第１の電気回路が開き、かつ、当該第２の電気回路が閉じるような第２の形状へ移行できる切換え接点（１６）と；
を有することを特徴とする切換えスイッチ。
【請求項２】
上記第１の電気回路の上記２つの接点（１、２）が位置する平面においては、上記切換え接点（１６）が、初期の状態において、上記タペット（１４）に向かってアーチ形となった形状を有することを特徴とする請求項１に記載の切換えスイッチ。
【請求項３】
上記第２の電気回路の上記２つの接点（３、４）が位置する平面においては、上記切換え接点（１６）が、死点を越えて初期の状態から上記第２の形状へスナップ運動できるキャッチバネのように形成されることを特徴とする請求項２に記載の切換えスイッチ。
【請求項４】
上記切換え接点（１６）が上記第２の電気回路の上記２つの接点（３、４）の平面内に位置する保持ラグ（１８）により上記ハウジング（１２）に取り付けられることを特徴とする請求項２又は３に記載の切換えスイッチ。
【請求項５】
上記切換え接点が半径方向で見て２つの上記保持ラグ（１８）を越えて位置する２つの第１の接点ラグ（２０）を具備することを特徴とする請求項４に記載の切換えスイッチ。
【請求項６】
上記タペットが作動したときは、上記２つの第１の接点ラグ（２０）が上記第２の電気回路の上記２つの接点（３、４）から離れるように持ち上げられることを特徴とする請求項５に記載の切換えスイッチ。
【請求項７】
上記第１の電気回路の上記２つの接点（１、２）が位置する平面においては、上記切換え接点（１６）が、初期の状態において、実質的に平面形状を有することを特徴とする請求項１ないし６のいずれかに記載の切換えスイッチ。
【請求項８】
上記第１の電気回路の上記２つの接点（１、２）が位置する平面においては、上記切換え接点（１６）が上記タペット（１４）の作動のために実質上並進で移動することを特徴とする請求項７に記載の切換えスイッチ。
【請求項９】
上記切換えスイッチ（１６）は、上記タペット（１４）が作動したときに上記第１の電気回路の上記２つの接点に対して押し付けられる２つの第２の接点ラグ（２２）を有することを特徴とする請求項７又は８に記載の切換えスイッチ。
【請求項１０】
上記接点ラグ（２０、２２）が複数の個々のラグで構成されることを特徴とする請求項５、６及び９に記載の切換えスイッチ。
【請求項１１】
上記タペット（１４）の作動方向で見て、第２の切換え接点（１６´）が上記切換え接点（１６）の背後に位置することを特徴とする請求項１ないし１０のいずれかに記載の切換えスイッチ。
【発明の詳細な説明】
【技術分野】
【０００１】
本発明は２つの電気回路の切換えのための切換えスイッチに関する。
【背景技術】
【０００２】
このような切換えスイッチは、例えば複動投入又は複動スイッチとして、自動車に使用することができる。しかし、従来知られているデザインはかなり高価である。
【発明の開示】
【発明が解決しようとする課題】
【０００３】
本発明の目的は、特に低製造費、余裕及び信頼性、並びに、少なくとも一対の接点が閉じ、一対の接点が同時に開くように２つの独立の切換え回路を同時に切換える可能性により特徴づけられる切換えスイッチを提供することである。
【課題を解決するための手段】
【０００４】
この目的を達成するため、本発明によれば、２つの電気回路の切換えのための切換えスイッチであって、ハウジングと、タペットと、第１の電気回路の２つの接点と、第２の電気回路の２つの接点と、初期の状態では、第１の電気回路が閉じ、かつ、第２の電気回路が開くような第１の形状を有し、また、タペットを作動させることにより、第１の電気回路が開き、かつ、第２の電気回路が閉じるような第２の形状へ移行できる切換え接点とを有することを特徴とする切換えスイッチが提供される。本発明に係る切換えスイッチは、１つの同じ切換え接点で２つの異なる電気回路を切換え、第１の形状から、第１の電気回路の接点を閉じ、かつ、第２の電気回路の接点を開くような第２の形状への切換え接点の移行に使用するという基本的な概念に基礎を置く。この目的のためにたった１つの切換え接点しか必要としないので、低製造費の簡単な構造が達成される。
【０００５】
本発明の有利なデザインは特許請求の範囲の従属項から明らかとなろう。
【発明を実施するための最良の形態】
【０００６】
図１、２には、切換えるべき４つの接点１、２、３、４を収容したハウジング１２を有する切換えスイッチ１０を示す。タペット１４は移動自在にハウジング１２内に装着される。タペット１４は第１の電気回路を形成する２つの接点１、２と第２の電気回路を形成する２つの接点３、４との間で電気接点を開閉できる切換え接点１６と共働する。
【０００７】
切換え接点１６はバネスチールシート又は他の弾性で導電性の材料で構成され、ほぼ矩形の基本形状（図３参照）を有する。接点３、４を含む平面で見た場合は（図１、５に表す）、切換え接点１６は、初期に状態において、タペット１４に向かうアーチ形状となっており；これはキャッチバネの形状を有する。切換えスイッチ１６のほぼ矩形の基本本体の短い側縁には、保持ラグ１８が設けてあり、これらの保持ラグにより切換え接点がハウジング１２に取り付けられる。２つの隣接する保持ラグ１８の各々間で外方に延びる１つの接点ラグ２０は各々、この構成では、３つの個々のラグ（図３参照）により形成される。図１、５に示すような初期の位置においては、すなわち、タペット１４が作動していない場合は、接点ラグ２０は接点３、４に当接し；従って、接点３、４を通る電気回路は閉じる（図４をも参照）。接点１、２を通る平面（図２、６参照）においては、切換え接点１６はほぼ平面の形状を有する。切換え接点１６の矩形の基本本体の長い側縁から出発して、２つの第１の接点１、２に関連し、同様に各々が複数の個々のラグにより構成された接点ラグ２２が延びる。初期の位置においては、すなわち、タペット１４が作動していない場合は、接点ラグ２２は第１の接点１、２から離間し；従って、これらの接点により形成される第１の電気回路は開く。
【０００８】
タペット１４が作動したとき、タペットは弓形状の切換え接点１６の中心を押圧する。切換え接点は図５、６に実線で示すその第１の形状から図５、６に破線で示す第２の形状へ移行する。接点３、４を含む平面においては、切換え接点１６は、保持ラグ１８により生じる保持力に抗して、死点を越えて下方へスナップ運動し、その結果、接点ラグ２０は接点３、４から離れるように持ち上がり；従って、これらの接点により形成される第２の電気回路は開く（図５に破線で示すような切換え接点１６の状態を参照）。同時に、切換え接点１６は接点１、２を含む平面内において実質上並進状態で下方へ変位し、その結果、接点ラグ２２が接点１、２に当接し；従って、これらの接点により形成される第１の電気回路は閉じる。
【０００９】
タペット１４が再度解放されたとき、切換え接点１６は、接点１、２により形成される第１の電気回路が開き、接点３、４により形成される第２の電気回路が閉じるようなその第１の形状へと、スナップ式に戻り運動する。
【００１０】
図８には、接点ラグ２０、２２の分岐デザインが第１の実施の形態のものとは異なる実施の形態の変形例を示す。接点１、２のために使用されるのは、それぞれ２つの互いに対向する接点ラグ２２であり、この構成では、各接点ラグはそれぞれ４つの個々のラグで形成される。接点３、４のために使用されるのは、それぞれ２つの接点ラグ２０であり、各ラグは対応する保持ラグ１８の両側に位置する。各接点ラグ２０は複数の個々のラグで構成される。このようにして、接触したときに良好な接点信頼性が達成される。
【００１１】
図９、１０には、第２の実施の形態に係る切換えスイッチを示す。この切換えスイッチは、第２の切換え接点１６´が切換え接点１６の下方に位置するという点で、第１の実施の形態に係る切換えスイッチとは異なる。その形状及び機能に関して、第２の切換え接点１６´は第１の切換え接点１６に対応するが、差異は、第２の切換え接点１６´が切換え接点１６の下方に位置するように減少した寸法で形状づけられていることである。タペット１４上に形成され、切換え接点１６を通して延び、第２の切換え接点１６´に係合できる延長部３０により、第２の切換え接点を作動させる。このようにして、２倍数の接点を同時に切換えることができる。
【図面の簡単な説明】
【００１２】
【図１】本発明に係る切換えスイッチを通る概略断面図である。
【図２】９０°回転させた図１の切換えスイッチを通る断面図である。
【図３】切換えスイッチにより切換えられる接点を概略的に示す図である。
【図４】切換えられた接点の別の概略図である。
【図５】図１の拡大図である。
【図６】図２の拡大図である。
【図７】図３の拡大図である。
【図８】実施の形態の変形例を示す図７に対応する図である。
【図９】第２の実施の形態に係る切換えスイッチを示す図５に対応する図である。
【図１０】第２の実施の形態に係る切換えスイッチを示す図６に対応する図である。
【符号の説明】
【００１３】
１、２、３、４    接点
１２    ハウジング
１４    タペット
１６、１６´    切換え接点
１８    保持ラグ
２０、２２    接点ラグ
【図１】
2006216545.tif 000003
【図２】
2006216545.tif 000004
【図３】
2006216545.tif 000005
【図４】
2006216545.tif 000006
【図５】
2006216545.tif 000007
【図６】
2006216545.tif 000008
【図７】
2006216545.tif 000009
【図８】
2006216545.tif 000010
【図９】
2006216545.tif 000011
【図１０】
2006216545.tif 000012